(57)【要約】      （修正有）【課題】自動停止弁の閉弁動作と連動させてエンジンポンプユニットを自動的に停止させることができるようにすることで、省力化を図る灌水装置を提供する。【解決手段】エンジンポンプユニット２は、エンジン11で駆動したポンプ12により水を汲み上げて吐出する。このエンジンポンプユニット２から灌水対象５に送水した水の水量は、自動停止弁３により計測する。この自動停止弁３は、設定ダイヤル４により灌水対象５で予定する水量を設定可能であり、計測した水量が設定した水量に達したときに自動的に閉弁動作する。この自動停止弁３の閉弁動作と連動して上昇する水圧を検知した圧力スイッチ１９は、エンジンポンプユニット２のエンジン１１を駆動するエンジン駆動回路１５をオフ操作して、エンジン１１を停止させる。【選択図】図１
0003176476.tif 000002
【実用新案登録請求の範囲】
【請求項１】
エンジンで駆動されたポンプにより水を汲み上げて吐出するエンジンポンプユニットと、
このエンジンポンプユニットから吐出されて灌水対象に送水される水量を計測するとともに設定手段により灌水対象で予定する水量を設定可能であって、計測された水量が設定された水量に達したときに自動的に閉弁動作する自動停止弁と、
この自動停止弁の閉弁動作と連動して上昇する水圧を検知して、エンジンポンプユニットのエンジンを駆動するエンジン駆動回路をオフ操作する圧力スイッチと
を具備したことを特徴とする灌水装置。
【請求項２】
自動停止弁は、
可動弁体と、
この可動弁体を開閉作動するダイアフラムと、
このダイアフラムにより可動弁体とは反対側に形成されたダイアフラム室に水圧を供給して可動弁体を閉弁動作させるとともにダイアフラム室から水圧を排出することで可動弁体を開弁動作させる切換弁とを具備し、
この切換弁からダイアフラム室に供給される水圧を可動弁体の閉弁動作完了後に圧力スイッチに導いて圧力スイッチをオフ動作させる機能を備えた
ことを特徴とする請求項１記載の灌水装置。
【考案の詳細な説明】
【技術分野】
【０００１】
本考案は、エンジンポンプユニットと自動停止弁とを用いた灌水装置に関する。
【背景技術】
【０００２】
従来の灌水装置としては、電動ポンプを用いて水源から汲み上げた水を灌水弁を経て圃場などの散水設備に供給し、タイマにより灌水弁を開閉制御して、潅水量を調整するようにしたものがある（例えば特許文献１参照）。
【０００３】
また、電動ポンプを用いて汲み上げた地下水をビニールハウスなどに供給する灌水装置では、地下水が電動ポンプの吐出側まで汲み上げられたことを圧力スイッチにより検知してから、タイマにより電動ポンプを開閉制御するようにしたものもある（例えば特許文献２参照）。
【０００４】
このような電動ポンプや灌水弁をタイマにより制御する従来のシステムは、電源を必要とし、電源設備のない圃場などでは利用できない。また、タイマ制御では、タイマの設定時間により灌水された水量を推定しているが、ポンプ送水流量が圧力変動などの影響により一定ではないため、灌水量が正確ではない。
【０００５】
これに対して、電源設備のない圃場などで、予め計画された水量を正確に灌水したい場合は、エンジンで駆動されるポンプすなわちエンジンポンプユニットと、設定水量をカウントして自動的に閉じる自動停止弁とを用いることで省力化を図れる。
【０００６】
すなわち、図９に示されるように、水源１にエンジンポンプユニット２を経て接続された自動停止弁３の設定ダイヤル４により、圃場などの灌水対象５で使う予定の水量を設定し、エンジンポンプユニット２の手動スイッチ６をオン操作してポンプを起動し、水源１からエンジンポンプユニット２によって水を吸い上げ、自動停止弁３を通して灌水対象５に供給する。
【０００７】
自動停止弁３は、設定ダイヤル４で事前に必要水量を設定しておけば、その設定した水量が流れると自動的に閉弁動作するが、水源１からの水供給にエンジンポンプユニット２を用いているので、自動停止弁３が設定された水量の流出を検知して閉弁動作した場合でも、エンジンポンプユニット２が駆動を継続するため、エンジンポンプユニット２の停止は、その都度、手動で行う必要がある。
【０００８】
従来は、自動停止弁３が自動的に閉じて灌水対象５への送水が停止したことを確認または推認した作業者が、エンジンポンプユニット２の手動スイッチ６を手動でオフ操作してエンジンポンプユニット２を停止させるか、または、設定した水量が流れる時間を予測して図示しないタイマを設定し、このタイマによりエンジンポンプユニット停止スイッチを動作させてエンジンポンプユニット２を停止させるようにしている。
【先行技術文献】
【特許文献】
【０００９】
【特許文献１】特開２００２−２３８３７８号公報
【特許文献２】特開２００６−１０１７１６号公報
【考案の概要】
【考案が解決しようとする課題】
【００１０】
エンジンポンプユニット２の停止を人手に頼る場合は、常にエンジンポンプユニット２を停止させるために作業者がエンジンポンプユニット２の傍にいるか、灌水対象５で使う予定の水量が流れる時間を見計らって、エンジンポンプユニット２を停止させるために出向くが、手間がかかっている。
【００１１】
また、タイマ設定時間でエンジンポンプユニットを停止する場合は、圧力変動や、水源の状態によって希望するとおりの水量が流れていない場合もあり、その回避策としてエンジンポンプユニットのタイマ設定で余裕を持たせて長めの時間設定をしているが、逆に必要以上の水量を流してしまうという問題がある。
【００１２】
本発明は、このような点に鑑みなされたもので、エンジンポンプユニットと自動停止弁とを用いる灌水装置において、自動停止弁の閉弁動作と連動させてエンジンポンプユニットを自動的に停止させることができるようにすることで、省力化を図ることを目的とするものである。
【課題を解決するための手段】
【００１３】
請求項１に記載された考案は、エンジンで駆動されたポンプにより水を汲み上げて吐出するエンジンポンプユニットと、このエンジンポンプユニットから吐出されて灌水対象に送水される水量を計測するとともに設定手段により灌水対象で予定する水量を設定可能であって、計測された水量が設定された水量に達したときに自動的に閉弁動作する自動停止弁と、この自動停止弁の閉弁動作と連動して上昇する水圧を検知して、エンジンポンプユニットのエンジンを駆動するエンジン駆動回路をオフ操作する圧力スイッチとを具備した灌水装置である。
【００１４】
請求項２に記載された考案は、請求項１記載の灌水装置における自動停止弁が、可動弁体と、この可動弁体を開閉作動するダイアフラムと、このダイアフラムにより可動弁体とは反対側に形成されたダイアフラム室に水圧を供給して可動弁体を閉弁動作させるとともにダイアフラム室から水圧を排出することで可動弁体を開弁動作させる切換弁とを具備し、この切換弁からダイアフラム室に供給される水圧を可動弁体の閉弁動作完了後に圧力スイッチに導いて圧力スイッチをオフ動作させる機能を備えたものである。
【考案の効果】
【００１５】
請求項１記載の考案によれば、通水開始に当たって自動停止弁で水量を設定し、エンジンポンプユニットを起動しておくだけで、設定しておいた水量が流れると自動停止弁が自動的に閉弁動作し、この自動停止弁の閉弁動作と連動して上昇する水圧を圧力スイッチが検知して、エンジンポンプユニットのエンジン駆動回路をオフ操作するので、エンジンポンプユニットと自動停止弁とを用いる灌水装置において、自動停止弁の閉弁動作と連動させてエンジンポンプユニットも自動的に停止させることができ、省力化を図ることができる。
【００１６】
請求項２記載の考案によれば、自動停止弁の可動弁体を開閉作動するダイアフラムの動きを、ダイアフラム室の水圧を監視する圧力スイッチにより素早く把握することができ、ダイアフラム室の水圧が上昇した閉弁状態でのエンジンの無駄な駆動を直ちになくすことができ、自動停止弁の閉弁動作と連動させてエンジンポンプユニットを正確なタイミングで自動的に停止させることができる。
【図面の簡単な説明】
【００１７】
【図１】本考案に係る灌水装置の一実施の形態を示すエンジンポンプユニット始動前の状態を示す回路図および自動停止弁断面図である。
【図２】同上灌水装置のエンジンポンプユニット始動時の状態を示す回路図および自動停止弁断面図である。
【図３】同上灌水装置の設定水量検出時の状態を示す回路図および自動停止弁断面図である。
【図４】同上灌水装置の自動停止時の状態を示す回路図および自動停止弁断面図である。
【図５】本考案に係る灌水装置の他の実施の形態を示すエンジンポンプユニット始動前の状態を示す回路図および自動停止弁断面図である。
【図６】同上灌水装置のエンジンポンプユニット始動時の状態を示す回路図および自動停止弁断面図である。
【図７】同上灌水装置の設定水量検出時の状態を示す回路図および自動停止弁断面図である。
【図８】同上灌水装置の自動停止時の状態を示す回路図および自動停止弁断面図である。
【図９】従来の灌水装置の概略図である。
【考案を実施するための形態】
【００１８】
以下、本考案を、図１乃至図４に示された一実施の形態、図５乃至図８に示された他の実施の形態に基いて詳細に説明する。
【００１９】
先ず、図１乃至図４は、ポンプ吐出側に自動停止弁３を接続した場合の一実施の形態を示す。
【００２０】
図１は、灌水装置の全体を示し、水源１にエンジンポンプユニット２を介して自動停止弁３の水入口が配管接続され、この自動停止弁３の水出口に圃場などの灌水対象５に配置されたスプリンクラなどの灌水設備が配管接続されている。
【００２１】
水源１から水を汲み上げて吐出するエンジンポンプユニット２は、エンジン11で駆動されるポンプ12を中心に構成され、エンジン11は、引き紐などで始動操作されるリコイルスタータ13により発電機14とともに駆動される。
【００２２】
この発電機14で発生した電力は、整流回路、電圧調整回路およびイグニッションコイルなどで構成されるエンジン駆動回路15に供給され、このエンジン駆動回路15は、手動スイッチ６をオンにして、リコイルスタータ13を始動操作することにより、エンジン11および発電機14を同時に回動すると、エンジン11に装着された点火プラグ16に着火電流を供給し、エンジン11を駆動するとともに、エンジン11により発電機14を継続的に駆動する。
【００２３】
このエンジンポンプユニット２のポンプ12の吐出口は管路17により自動停止弁３の水入口18に連通されている。自動停止弁３は、ポンプ12から吐出されて圃場などの灌水対象５に送水される水量を計測するとともに、設定手段としての設定ダイヤル４により灌水対象５で予定する水量を設定可能であって、計測された水量が設定された水量に達したときに自動的に閉弁動作するものである。
【００２４】
自動停止弁３の閉弁動作と連動して上昇する水圧を検知してエンジンポンプユニット２のエンジン駆動回路15をオフ操作する圧力スイッチ19が、エンジンポンプユニット２の手動スイッチ６とアースとの間に設けられている。
【００２５】
自動停止弁３は、水入口18とともに水出口20が形成された弁本体21と、この弁本体21の内部に設けられた円筒型の弁座22と、この弁座22に対向して接離自在に設けられた円筒形の可動弁体23と、この可動弁体23と弁本体21との間に設けられ、可動弁体23が位置する弁室24と上側に位置するダイアフラム室25とを仕切って区画形成するダイアフラム26とを具備している。
【００２６】
さらに、自動停止弁３は、ダイアフラム室25と自動停止弁３の水入口18側とを連通可能な通路27中に切換弁28が設けられ、この切換弁28は、ダイアフラム室25内の水圧を外部へ抜く圧抜ポート28aと、自動停止弁３の水入口18側の水圧をダイアフラム室25に供給する給圧ポート28bとを切り換えることが可能であり、ダイアフラム室25に水圧を供給して可動弁体23を閉弁動作させるとともに、ダイアフラム室25から水圧を排出することで可動弁体23を開弁動作させる。ダイアフラム室25内には、コイルスプリング29が設けられて、このコイルスプリング29により可動弁体23を下方へ付勢している。
【００２７】
さらに、自動停止弁３は、円筒型の弁座22内に回転自在に設けられて弁座22内を通る水流により回転されるインペラ31の回転軸が弁制御部32に接続されている。この弁制御部32は、インペラ31の回転数により弁座22の開口を通過した水量を機械的に計測するとともに、自動停止弁３が閉弁動作する水量を設定する設定ダイヤル４を有し、この設定ダイヤル４により灌水対象５で予定する水量を機械的に設定可能であり、インペラ31の回転数で計測された水量が、設定ダイヤル４で設定された水量に達したときに、切換弁28を圧抜ポート28aから給圧ポート28bに機械的に切り換える機能を備えている。
【００２８】
切換弁28とダイアフラム室25とを連通する通路33から分岐した分岐通路34により、切換弁28からダイアフラム室25に供給される水圧を可動弁体23の閉弁動作完了後に圧力スイッチ19に導いて圧力スイッチ19をオフ動作させる。言い換えると、圧力スイッチ19は、ダイアフラム室25の水圧上昇を検知してオフ動作する機能を備えた常時閉路接点である。
【００２９】
次に、この一実施の形態の作用効果を説明する。
【００３０】
(1)自動停止弁３の設定ダイヤル４で、圃場などの灌水対象５で使う予定の水量を設定する。
【００３１】
(2)図２に示されるように、手動スイッチ６をオンに操作するとともに、リコイルスタータ13の紐を引き、エンジンポンプユニット２のエンジン11、ポンプ12および発電機14を起動する。
【００３２】
(3)このとき、自動停止弁３のダイアフラム26の上側に位置するダイアフラム室25は、通路33を経て切換弁28の圧抜ポート28aに連通しているので、水源１からエンジンポンプユニット２のポンプ12によって吸い上げられた水が、自動停止弁３の水入口18からダイアフラム26の下側に加圧供給されると、その水圧がダイアフラム26とともに可動弁体23を押し上げるので、弁座22が開き、この弁座22内を通って、水出口20から灌水対象５に水が供給される。
【００３３】
(4)設定ダイヤル４により予め設定した水量が流れると、図３に示されるように、自動停止弁３の弁制御部32は、切換弁28に内蔵されたスプールなどの弁体を切換作動して、通路27を給圧ポート28bに切り換えるので、ダイアフラム室25に供給される水圧と、コイルスプリング29の復元力とにより、ダイアフラム26および可動弁体23は下降し、弁座22を自動的に閉じる。
【００３４】
(5)自動停止弁３の可動弁体23が閉じると、図４に示されるように、通路27から切換弁28の給圧ポート28bを経て通路33に流出した水は、ダイアフラム室25に入れなくなるので、分岐通路34を経て圧力スイッチ19をオン状態からオフ状態に切り換え、エンジンポンプユニット２のエンジン駆動回路15を自動的にオフ状態とし、エンジン11の点火プラグ16への通電を停止して、エンジン11を停止させる。
【００３５】
次に、図５乃至図８は、ポンプ吸込側に自動停止弁３を接続した場合の他の実施の形態を示し、水源１が自動停止弁３より高い場所に位置する例である。
【００３６】
図５に示されるように、高低差のある高位に位置する水源１に、低位に位置する自動停止弁３の水入口18が配管接続され、自動停止弁３の水出口20に管路17を介してエンジンポンプユニット２のポンプ12の吸込口が連通接続され、ポンプ12の吐出口に、圃場などの灌水対象５に配置されたスプリンクラなどの灌水設備が配管接続されている。
【００３７】
なお、エンジンポンプユニット２、自動停止弁３および圧力スイッチ19の各構造および各機能は、図１乃至図４に示された一実施の形態で説明したものと同一であるため、各部に同一符号を付して、それらの説明を省略する。
【００３８】
そして、(1)自動停止弁３の設定ダイヤル４で、圃場などの灌水対象５で使う予定の水量を設定する。
【００３９】
(2)図６に示されるように、手動スイッチ６をオンに操作するとともに、リコイルスタータ13の紐を引き、エンジンポンプユニット２のエンジン11、ポンプ12および発電機14を起動する。
【００４０】
(3)このとき、自動停止弁３のダイアフラム26の上側に位置するダイアフラム室25は、通路33を経て切換弁28の圧抜ポート28aに連通しているので、高位置の水源１から自動停止弁３の水入口18を経た水がダイアフラム26の下側に加圧供給されると、その水圧がダイアフラム26とともに可動弁体23を押し上げるので、弁座22が開き、この弁座22内を通って、水出口20からエンジンポンプユニット２のポンプ12の吸込口に水が供給され、このポンプ12から吐出された水が、灌水対象５に供給される。
【００４１】
(4)設定ダイヤル４により予め設定した水量が流れると、図７に示されるように、自動停止弁３の弁制御部32は、切換弁28に内蔵されたスプールなどの弁体を切換作動して、通路27を給圧ポート28bに切り換えるので、ダイアフラム室25に供給される水圧と、コイルスプリング29の復元力とにより、ダイアフラム26および可動弁体23は下降し、弁座22を自動的に閉じる。
【００４２】
(5)自動停止弁３の可動弁体23が閉じると、図８に示されるように、通路27から切換弁28の給圧ポート28bを経て通路33に流出した水は、ダイアフラム室25に入れなくなるので、分岐通路34を経て圧力スイッチ19をオン状態からオフ状態に切り換え、エンジンポンプユニット２のエンジン駆動回路15を自動的にオフ状態とし、エンジン11の点火プラグ16への通電を停止して、エンジン11を停止させる。
【００４３】
以上のように、図１乃至図４に示された一実施の形態および図５乃至図８に示された他の実施の形態は、通水開始に当たって自動停止弁３の設定ダイヤル４で水量を設定し、エンジンポンプユニット２を起動しておくだけで、設定しておいた水量が流れると自動停止弁３が自動的に閉弁動作し、この自動停止弁３の閉弁動作と連動して上昇する自動停止弁３のダイアフラム室25の水圧を圧力スイッチ19が検知して、エンジンポンプユニット２のエンジン駆動回路15をオフ操作するので、エンジンポンプユニット２と自動停止弁３とを用いる灌水装置において、自動停止弁３の閉弁動作と連動させてエンジンポンプユニット２も自動的に停止させることができ、省力化を図ることができる。
【００４４】
特に、自動停止弁３の可動弁体23を開閉作動するダイアフラム26の動きを、ダイアフラム室25の水圧を監視する圧力スイッチ19により素早く把握することができ、ダイアフラム室25の水圧が上昇した閉弁状態でのエンジン11の無駄な駆動を直ちになくすことができ、自動停止弁３の閉弁動作と連動させてエンジンポンプユニットを正確なタイミングで自動的に停止させることができる。
【００４５】
また、従来のように、設定した水量が流れるまで人手により監視し、エンジンポンプユニット２を手動で止めるという手間が省けるとともに、自動停止弁３の閉弁動作に連動してエンジンポンプユニット２が自動的に停止するので、タイマ設定のように必要以上の水量を流すこともないとともに、逆にエンジンポンプユニット２だけが先に止まってしまうこともない。
【００４６】
さらに、手動操作されるリコイルスタータ13および発電機14を有するエンジンポンプユニット２と、水圧のみで作動する圧力スイッチ19を用いているので、電源設備のない場所でも本装置を利用できる。
【産業上の利用可能性】
【００４７】
本考案は、灌水装置の製造、販売などに係る産業において利用可能である。
【符号の説明】
【００４８】
２    エンジンポンプユニット
３    自動停止弁
４    設定手段としての設定ダイヤル
５    灌水対象
11    エンジン
12    ポンプ
15    エンジン駆動回路
19    圧力スイッチ
23    可動弁体
25    ダイアフラム室
26    ダイアフラム
28    切換弁
【図１】
0003176476.tif 000003
【図２】
0003176476.tif 000004
【図３】
0003176476.tif 000005
【図４】
0003176476.tif 000006
【図５】
0003176476.tif 000007
【図６】
0003176476.tif 000008
【図７】
0003176476.tif 000009
【図８】
0003176476.tif 000010
【図９】
0003176476.tif 000011